(57)【要約】【課題】ジュエリーデザイン製作者や多様な購入予定者が、難易度の高いジュエリー製作用３次元ＣＡＤを用いることなく、パソコンや携帯端末等を利用して簡単に自由自在にジュエリーデザインをできるようにする。【解決手段】あらかじめＷＥＢページ上かパソコン、もしくは記録メディアにジュエリーの基本となる枠デザイン、宝石デザイン、宝石種類、色、その他の部品等を多数用意しておき、パソコンや携帯端末の画面上でマウスや指を使用して、前記のジュエリーを構成するために必要な枠や宝石を自由自在にドラッグして配置させることによって、簡単にジュエリーデザイン製作をできるようにし、少ない操作で３６０度閲覧可能な３次元カラーレンダリング画像データに変換し、同時に価格も画面上に表示し、なおかつ、ジュエリー型を製作するための装置に対応した形式の３次元設計データも簡単に出力できるジュエリーデザインシステムを提供する。【選択図】図１
2014085736.tif 000002
【特許請求の範囲】
【請求項１】
パソコンや携帯端末等を使用してのジュエリーデザイン製作において、あらかじめWEBサーバー上やパソコン、もしくは記録メディアにジュエリーの基本となる枠デザイン、宝石、その他の部品等の基本となるデザインデータを多数用意しておき、パソコンや携帯端末等の画面上で、マウスや指を使用し、あらかじめ用意されたWEBサーバーやパソコン、もしくは記録メディア上にあるジュエリーの基本となる枠デザインを選択した後、宝石、その他の部品を自由自在に配置し、色などを組み合わせて容易にジュエリーデザイン製作をして後、１回か数回の簡単な操作で作成したジュエリーデザインを３６０度閲覧可能な３次元カラーレンダリング画像データに変換し、同時に価格も画面上に表示でき、なおかつ、ジュエリー型を製作するための装置に対応した形式の３次元設計データも簡単に出力できるジュエリーデザインシステム。
【請求項２】
請求項1に記載のジュエリーデザインシステムの基本となる枠デザイン、宝石、その他の部品の表記が２次元である、請求項1に記載のジュエリーデザインシステム。
【請求項３】
請求項1に記載のジュエリーデザインシステムの基本となる枠デザイン、宝石、その他の部品の表記が２．５次元である、請求項1に記載のジュエリーデザインシステム。
【請求項４】
請求項1に記載のジュエリーデザインシステムの基本となる枠デザイン、宝石、その他の部品の表記が３次元である、請求項1に記載のジュエリーデザインシステム。
【発明の詳細な説明】
【技術分野】
【０００１】
この発明はジュエリーデザイン作成者やジュエリー購入予定者がパソコンや携帯端末等でジュエリーをデザインする際、あらかじめWEBサーバー上、もしくはパソコン、記録メディア等に用意された２次元か２．５次元、もしくは３次元のジュエリーの基本となる宝石デザインや部品等をパソコンや携帯端末の画面上で自由自在に組み合わせ、素材、宝石の種類、宝石の質、宝石の色等を選択し、さらに彫刻等の詳細を決定することによって、市販の造形機や切削機に対応した正確な３次元デザインデータが作成できるとともに、おおよそのジュエリー完成品の価格も確認ができ、完成品デザインをジュエリーデザイン作成者や購入予定者のパソコンや携帯端末等に画像等の形式で保存できたり、その完成品デザインをインターネットを介してジュエリー製造者やジュエリー販売者側に送信するか、もしくは、印刷したものを受け渡したりすることによって、オリジナル性の高いジュエリーを作成、及び提供できるジュエリーデザインシステムに関するものである。
【背景技術】
【０００２】
ジュエリーをインターネットショップや実店舗で購入しようとすると、あらかじめデザインや宝石の質が決められたものを購入するか、ごくわずかなカスタマイズができるにとどまっている。
【０００３】
したがって、多様な購入予定者の満足度を、現状のインターネットショップや実店舗では高めることはできないでいる。
【０００４】
また、多様な購入予定者の多くは自分好みのジュエリー製品を望んでいるため、こういった多様な購入予定者の要望に応えるためには、ジュエリー販売者はより多くの製品を用意、陳列しておく必要があり負担が大きい。
【０００５】
実店舗においては、多様な購入予定者の満足度を高めるため、ジュエリー専門のデザイナーを常駐させて対応する場合もあるが、基本的なジュエリーデザインが、ジュエリーデザイナーの好みとなってしまうこもと多く、多様な購入予定者の満足度を高めることはできないでいる。
【０００６】
さらに、実店舗では、ジュエリー製作用３次元ＣＡＤを用いて、その場で多様な購入予定者の満足度を高めるために設計をして閲覧させていることもあるが、ジュエリー製作用３次元ＣＡＤの熟練度によっては多様な購入予定者の希望するデザインができない場合も多く、良い結果に至っていない。
【先行技術文献】
【非特許文献】
【０００７】
楽天などのインターネットショップや実店舗
【発明の概要】
【発明が解決しようとする課題】
【０００８】
この発明は前述した問題点を解決するものであり、ジュエリーデザイン製作者や多様な購入予定者も満足でき、製造者や販売者の負担なども軽減できる、ジュエリーデザインシステムを提供するものである。
【課題を解決するための手段】
【０００９】
以上の課題を解決するため、ジュエリーデザイン製作者や多様な購入予定者がパソコンや携帯端末等の画面上で、自分の好みのジュエリーデザインを自由自在に作成することができるように、少なくとも数百種類の基本となるリングやペンダント、イヤリング等のジュエリー枠デザインと、数十種類の宝石デザイン、その他の部品などをWEBサーバーか記録メディアに用意しておく。
【００１０】
この発明では、ジュエリーデザイン製作者や多様な購入予定者が自分好みのジュエリーデザインを、パソコンや携帯端末等の画面上で２次元、２．５次元、あるいは３次元で自由自在に作成することがきる。
【００１１】
この発明では、出来上がったジュエリーデザインをパソコンや携帯端末等に画像等として保存できる。
【００１２】
この発明では、出来上がったジュエリーデザインの画像等をインターネットを介してインターネットジュエリーショップ側に送信したり、印刷したものを実店舗で受け渡ししたりすることによって、そのジュエリーデザインと同じ完成品ジュエリーを、販売者側が製作し購入者に提供することができる。
【００１３】
この発明では、ジュエリーデザイン製作者や購入予定者がどのようなジュエリーのデザインでもパソコンや携帯端末等で作成することができる。
【００１４】
この発明では、ジュエリーデザイン製作者や購入予定者がジュエリーの宝石の種類や品質を自由に製作することができる。
【００１５】
この発明では、ジュエリーデザイン製作者や購入予定者がジュエリーの素材を自由にデザインすることができる。
【００１６】
この発明では、ジュエリーデザイン製作者や購入予定者が自身で作成したジュエリーデザインを画像等として、パソコンや携帯端末等に保存できる。
【００１７】
この発明では、ジュエリーデザイン製作者や購入予定者が自身で作成したジュエリーデザインの製品価格が、わかるようになっている。
【００１８】
この発明では、ジュエリーデザイン製作者や購入予定者が作成したジュエリーデザインを、実際の製品と同じ色合いでレンダリングされた正確な３次元デザインとして３６０度、どの方向からも確認することができる。
【００１９】
この発明では、ジュエリーデザイン作成者が作成したジュエリーデザインを、市販の造形機等に対応した形式のデータファイルとして作成することができる。
【００２０】
この発明では、ジュエリーデザインを３次元ＣＡＤに見るような、難解なコマンドを使用しないので、誰でも簡単にジュエリーデザインを作成することができる。
【発明の効果】
【００２１】
この発明によれば、ジュエリーデザイン製作者や購入予定者が、容易に自分の好みで自由自在にジュエリーデザインを作成した後、販売者や完成品製造者側にインターネットを通して送信、あるいは印刷して受け渡しをすると、作成したジュエリーデザインと同じ完成品ジュエリーを製作できるので、オリジナルジュエリーという観点からジュエリーデザイン製作者や多様な購入予定者の満足度を高めることができる。
【図面の簡単な説明】
【００２２】
【図１】この発明の操作面の全体図である。
【図２】この発明の完成品ジュエリー３次元レンダリング画像図である。
【発明を実施するための形態】
【００２３】
この発明のジュエリーデザインシステムでは、ジュエリーデザイン製作者や購入予定者が、あらかじめWEBサーバーやパソコン、もしくは記録メディア等に用意されている、２次元か２．５次元、あるいは３次元の基本となるジュエリーデザインの枠をまず最初に選択し、その後に宝石デザインを必要数量選択し、パソコンや携帯端末等の画面上でマウスや指を使用しながら、宝石デザインを自由自在に複数個配置することができる。
【００２４】
ジュエリーデザイン製作者や購入予定者は自分の好みで作成したジュエリーデザインと素材、宝石、宝石の種類等を決定して価格を確認し、完成品製造者もしくは販売者側にインターネットを介して送信したり、印刷して受け渡しをしたりすると、作成したジュエリーデザインを元に、完成品製造者もしくは販売者側が製作し、完成品ジュエリーとしてジュエリーデザイン製作者や購入予定者に提供する。
【００２５】
［実施例１］
この発明のジュエリーデザインシステムは、パソコンや携帯端末等で、指定のインターネットアドレスに接続することによって、図１のような画面が表示される。
【００２６】
図１はジュエリーをパソコンや携帯端末等で自由自在に作成できる、ジュエリーデザインシステムの全体像であり、１フリーデザインスペース、２基本ジュエリーデザイン選択窓、３宝石選択窓、４彫刻等付帯加工入力欄、８概算価格表示欄、７完成品レンダリング３次元データ製作ボタン等から成り立っている。
【００２７】
まずはじめに、ジュエリーデザイン製作者や購入予定者は、図１の２の基本ジュエリーデザインからベースとしたいリング等のデザインと素材、素材色を選択し、マウスや指でドラッグして、図１の１フリーデザインスペースに基本としたい５基本リングデザインを配置する。  
【００２８】
その次に、図１の３宝石選択窓より６宝石デザインを選択し、さらに大きさ、色などを指定し、前述の５基本リングデザイン上にマウスや指でドラッグして宝石を必要数量、配置したいに場所に配置する。
【００２９】
次に、図１の４彫刻等の付帯加工を文字入力するか、選択肢より選択する。
【００３０】
基本となるジュエリー枠や宝石を選択した時点で、図１の８概算価格表示欄には、価格が表示され、ジュエリーデザイン製作者や購入予定者は、デザインと価格の総体的なバランスを加味しながら、ジュエリーデザイン製作をすることができる。
【００３１】
ジュエリーデザイン製作者や購入予定者は、自身の満足できるデザインが、図１の１フリーデザインスペースに作成した後、図１の７完成品レンダリング３次元データ作成ボタンを押す。
【００３２】
図１の７完成品レンダリング３次元データ作成ボタンを押すと、画面内かもしくは別画面に、前述で作成したジュエリーデザインが図２の１０の完成品ジュエリー３次元レンダリング画像のように正確に作成され、選択した素材の色でレンダリングされる。
【００３３】
作成された１０の完成品ジュエリー３次元レンダリング画像は、マウスや指で操作すると、３６０度、どの方向からでも確認することができ、拡大、縮小も可能なので、ジュエリーデザインの細部まで確認することができる。
【００３４】
作成された１０の完成品ジュエリー３次元レンダリング画像は、画像等としてパソコンや携帯端末、もしくは記録メディアに保存できるので、いつでも作成したジュエリーデザインを確認することができる。
【００３５】
作成された１０の完成品ジュエリー３次元レンダリング画像は、ジュエリーの型を作るための、市販の造形機や切削機に対応した加工データとして出力することもできるので、容易に型作成ができる。
【００３６】
ジュエリーデザイン作成者や購入予定者は、前述で作成したジュエリーデザインを、インターネットを介してジュエリー製造者やジュエリー販売者に送るか、印刷したものを受け渡すことによって、デザインしたジュエリーと全く同じ完成品ジュエリーを手にすることができる。
【産業上の利用可能性】
【００３７】
この発明のジュエリーデザインシステムは、ジュエリーデザイン製作者や購入予定者が難易度の高いジュエリー設計用３次元ＣＡＤソフト等を使用することなく、簡単に、自由自在にジュエリーデザインをパソコンや携帯端末等で、マウスや指を使って作成することができるので、ジュエリーインターネットショップやジュエリー実店舗で使用することによって、多様な購入予定者の満足度を高めることができ、なおかつ多くの在庫を持つ負担も軽減できるものである。
【符号の説明】
【００３８】
１    フリーデザインスペース
２    基本ジュエリーデザイン選択窓
３    宝石選択窓
４    彫刻等付帯加工入力欄
５    基本リング枠
６    宝石デザイン
７    完成品レンダリング３次元データ製作ボタン
８    概算価格表示欄
１０  完成品ジュエリー３次元レンダリング画像
【図１】
2014085736.tif 000003
【図２】
2014085736.tif 000004